(57)【要約】【課題】外気を取り入れる通気間隙を有する土台部に土台水切材を配設する場合に、土台水切材の前垂れ部の高さを小さくして建物の外観を美しくさせるとともに、風雨にさらされた際に雨水が通気間隙に浸入しにくくする。【解決手段】基礎６と土台９との間に適宜間隔で土台パッキン８を設け、この土台パッキン８間に外気を取り入れる通気間隙１０を形成し、この通気間隙１０の前方を覆うように土台水切材１を配設する。この土台水切材１は、後方で土台６に取り付けられる取付板部２と、この取付板部２の下端から前方斜め下向きに傾斜している傾斜板部３と、この傾斜板部３の前端から下方に突出している前垂れ部４と、この前垂れ部４の後方において傾斜板部３から下方に突出している後垂れ板部５とを備える。そして、後垂れ板部５と基礎との間に通気間隙１０と連通する連通間隙１１を形成する。【選択図】図１
2007126920.tif 000002
【特許請求の範囲】
【請求項１】
建物の土台部に配設される土台水切材であって、
後方で土台に取り付けられる取付部と、この取付部の下端から前方斜め下向きに傾斜している傾斜部と、この傾斜部の前端から下方に突出している前垂れ部と、この前垂れ部の後方において前記傾斜部から下方に突出している後垂れ部とを備えることを特徴とする土台水切材。
【請求項２】
前記後垂れ部の下端が前記前垂れ部の下端よりも下方に突出していることを特徴とする請求項１に記載の土台水切材。
【請求項３】
前記前垂れ部の高さが３〜１０ｍｍであることを特徴とする請求項１または２に記載の土台水切材。
【請求項４】
建物の基礎と土台との間に適宜間隔で土台パッキンが設けられ、この土台パッキン間に外気を取り入れる通気間隙が形成され、この通気間隙の前方を覆うように土台水切材が配設されてなる土台部構造であって、
前記土台水切材は、後方で前記土台に取り付けられる取付部と、この取付部の下端から前方斜め下向きに傾斜している傾斜部と、この傾斜部の前端から下方に突出している前垂れ部と、この前垂れ部の後方において前記傾斜部から下方に突出している後垂れ部とを備えており、
前記取付部が土台に取り付けられている状態で、前記後垂れ部と基礎との間に前記通気間隙と連通する連通間隙が形成されていることを特徴とする土台部構造。
【請求項５】
前記取付部の下端が基礎の上端よりも低い位置にあることを特徴とする請求項４に記載の土台部構造。
【請求項６】
基礎の前面が前記後垂れ部よりも前方に位置するとともに、基礎の上端部の前側縁に切欠き部が形成されており、
この切欠き部内に前記後垂れ部の下端が位置することを特徴とする請求項４または５に記載の土台部構造。
【発明の詳細な説明】
【技術分野】
【０００１】
本発明は、建物の土台部に配設される土台水切材、及び土台水切材を配設する土台部構造に関する。
【背景技術】
【０００２】
従来、建物の土台部に配設される土台水切材は、一般的な形状として、土台に取り付けられる取付部と、雨水案内用の傾斜部と、前垂れ部とを備えたものとなっている（例えば、特許文献１参照。）。この土台水切材は、建物の外壁より流れ落ちる水を土台、基礎に寄せ付けることなく落下させるためのものである。また、建物の耐久性を保つために、基礎と土台との間に適宜間隔で土台パッキンを設け、この土台パッキン間に外気を取り入れる通気間隙を形成し、床下の換気を行うことがある。
【特許文献１】特開２００５−２７９０号公報
【発明の開示】
【発明が解決しようとする課題】
【０００３】
ところで、土台水切材の前垂れ部は、その高さが通常３０〜４０ｍｍ程度の大きなものとなっている。そして、この前垂れ部が外壁の下方において外観として現れるが、建物の美観上、前垂れ部の高さは小さいものが好まれる。しかし、前垂れ部の高さを小さくすると、風雨にさらされた際に、吹き付けられる雨水が通気間隙を通過する風によって引き込まれて通気間隙に浸入しやすくなるという恐れがあった。
【０００４】
本発明の課題は、外気を取り入れる通気間隙を有する土台部に土台水切材を配設する場合に、土台水切材の前垂れ部の高さを小さくして建物の外観を美しくさせるとともに、風雨にさらされた際に雨水が通気間隙に浸入しにくくすることである。
【課題を解決するための手段】
【０００５】
以上の課題を解決するため、請求項１に記載の発明は、例えば図１に示すように、建物の土台部に配設される土台水切材１であって、後方で土台９に取り付けられる取付部（取付板部２）と、この取付部の下端から前方斜め下向きに傾斜している傾斜部（傾斜板部３）と、この傾斜部の前端から下方に突出している前垂れ部４と、この前垂れ部４の後方において前記傾斜部から下方に突出している後垂れ部（後垂れ板部５）とを備えることを特徴とする。
【０００６】
このように、土台水切材１の前垂れ部４の後方において傾斜部から下方に後垂れ部を突出させることにより、後垂れ部が風雨時における後方への風の通り抜けを遮って、土台水切材１の後方への雨水の回り込みを抑えることができる。そして、後垂れ部によって雨水の回り込みが抑えられるため、外壁の下方に外観として現れる前垂れ部４の高さを小さくすることができ、建物の美観を向上させることが可能である。
【０００７】
請求項２に記載の発明は、請求項１に記載の土台水切材において、前記後垂れ部の下端が、前記前垂れ部の下端よりも下方に突出していることを特徴とする。
【０００８】
このように、土台水切材の後垂れ部の下端を前垂れ部の下端よりも下方に突出させることにより、風の通り抜けを遮る効果が大きくなり、雨水の回り込みをより確実に防ぐことができる。そして、前垂れ部の高さをさらに小さくすることが可能である。なお、土台水切材が建物の低い部分にあり、かつ後垂れ部が前垂れ部の後方にあるため、人の視線が後垂れ部に及びにくく、土台水切材の意匠性及び建物の美観を損なわない。
【０００９】
請求項３に記載の発明は、請求項１または２に記載の土台水切材において、例えば図１に示すように、前記前垂れ部４の高さが、３〜１０ｍｍであることを特徴とする。
【００１０】
このように、土台水切材１の前垂れ部４の高さを３〜１０ｍｍとすることにより、従来よりもすっきりとしたデザインとすることができ、建物の外観を美しく見せることができる。
【００１１】
請求項４に記載の発明は、例えば図１に示すように、建物の基礎６と土台９との間に適宜間隔で土台パッキン８が設けられ、この土台パッキン８間に外気を取り入れる通気間隙１０が形成され、この通気間隙１０の前方を覆うように土台水切材１が配設されてなる土台部構造であって、前記土台水切材１は、後方で前記土台９に取り付けられる取付部（取付板部２）と、この取付部の下端から前方斜め下向きに傾斜している傾斜部（傾斜板部３）と、この傾斜部の前端から下方に突出している前垂れ部４と、この前垂れ部４の後方において前記傾斜部から下方に突出している後垂れ部（後垂れ板部５）とを備えており、前記取付部が土台９に取り付けられている状態で、前記後垂れ部と基礎６との間に前記通気間隙１０と連通する連通間隙１１が形成されていることを特徴とする。
【００１２】
このように、土台水切材１の前垂れ部４の後方において傾斜部から下方に後垂れ部を突出させ、後垂れ部と基礎６との間に基礎６と土台９との間の通気間隙１０と連通する連通間隙１１を形成することにより、床下への通気を妨げることなく、後垂れ部が風雨時における通気間隙１０への風の通り抜けを遮って、通気間隙１０への雨水の浸入を抑えることができる。そして、後垂れ部によって雨水の浸入が抑えられるため、外壁の下方に外観として現れる前垂れ部４の高さを小さくすることができ、建物の美観を向上させることが可能である。
【００１３】
請求項５に記載の発明は、請求項４に記載の土台部構造において、例えば図１に示すように、前記取付部（取付板部２）の下端が、基礎６の上端よりも低い位置にあることを特徴とする。
【００１４】
請求項６に記載の発明は、請求項４または５に記載の土台部構造において、例えば図１，２に示すように、基礎６の前面６ａが前記後垂れ部（後垂れ板部５）よりも前方に位置するとともに、基礎６の上端部の前側縁に切欠き部７が形成されており、この切欠き部７内に前記後垂れ部の下端が位置することを特徴とする。
【００１５】
このように、土台水切材１の取付部の下端を基礎６の上端よりも低くする、また基礎６の前面６ａを土台水切材１の後垂れ部よりも前方に位置させるとともに、基礎６の上端部の前側縁に切欠き部７を形成し、この切欠き部７内に後垂れ部の下端を位置させる。これにより、連通間隙１１が長く形成されるため、通気間隙１０への風の通り抜けを遮る効果が大きくなり、雨水の浸入をより確実に防ぐことができる。そして、前垂れ部４の高さをさらに小さくすることが可能である。
【発明の効果】
【００１６】
本発明によれば、外気を取り入れる通気間隙を有する土台部において、土台に配設される土台水切材がその前垂れ部の後方に後垂れ部を備えるので、床下への通気を確保しつつ、風雨時に風が通気間隙へ通り抜けるのを遮って、雨水が通気間隙へ浸入するのを抑えることができ、外壁の下方に外観として現れる前垂れ部の高さを小さくして建物の外観を美しく仕上げることができる。
【発明を実施するための最良の形態】
【００１７】
以下、図を参照して本発明を実施するための最良の形態を詳細に説明する。本実施の形態では、本発明に係る土台水切材及び土台部構造を木造の建物に適用している。ここで、土台水切材は、建物の土台部に外壁の外周に沿って配設される長尺な部材であり、外壁（外装板）の壁面を伝って流下してくる雨水を前方に導いて土台、基礎に寄せ付けないように落下させるものである。
【００１８】
まず、本実施の形態における土台水切材について説明する。図１に示すように、土台水切材１は、後方で土台９に取り付けられる取付板部２（取付部）と、この取付板部２の下端から前方斜め下向きに傾斜している傾斜板部３（傾斜部）と、この傾斜板部３の前端から下方に突出している前垂れ部４と、この前垂れ部４の後方において傾斜板部３から下方に突出している後垂れ板部５（後垂れ部）とを備えている。
【００１９】
取付板部２及び傾斜板部３は、その厚さが１．５ｍｍの板状に形成されている。傾斜板部３の水平面からの傾斜角度が８°である。前垂れ部４は、その前面の高さが５ｍｍで、その下面を後方に向かって上方に傾斜させて形成されている。なお、前垂れ部４の高さは、外壁の下方において外観として現れるときに小さくすっきりとしたデザインとなって、建物の外観を美しく見せるようにするために、３〜１０ｍｍであることが好ましい。
【００２０】
後垂れ板部５は、その厚さが１．５ｍｍの板状で、傾斜板部３の後端部付近に形成されている。本実施の形態では、後垂れ板部５の上端が取付板部２の下端及び傾斜板部３の後端に位置しており、後垂れ板部５は取付板部２が下方にさらに延設されるように形成されている。
【００２１】
また、図２に示す他の実施例の土台水切材２１は、図１に示すものと同様に、取付板部２２（取付部）、傾斜板部２３（傾斜部）、前垂れ部２４及び後垂れ板部２５（後垂れ部）とを備えている。図１、２に示すように、傾斜板部３、２３の水平方向の長さは、取付板部２、２２から前方の外壁の厚みに応じて変更される。
【００２２】
このような土台水切材１、２１によれば、前垂れ部４、２４の後方において傾斜板部３、２３から下方に後垂れ板部５、２５が突出しているので、前垂れ板部の高さを小さくしても、後垂れ板部５、２５が風雨時における後方への風の通り抜けを遮って、土台水切材１、２１の後方への雨水の回り込みを抑えることができる。また、風の通り抜けを遮る効果を大きくし雨水の回り込みをより確実に防ぐために、後垂れ板部５、２５の下端を前垂れ部４、２４の下端よりも下方に突出させてもよい。
【００２３】
土台水切材の材質としては、例えば、アルミニウム、合成樹脂、ステンレス鋼板、ガルバリウム鋼板、カラー鋼板などが挙げられる。その加工は、材質に応じて、押し出し成形、折り曲げ加工などにより行えばよい。
【００２４】
次に、本実施の形態における、上記土台水切材１を配設する土台部構造について説明する。土台部構造は、基礎６と土台９との間に適宜間隔で複数の土台パッキン８が土台９の長手方向に沿って設けられ、これらの土台パッキン８間に外気を取り入れる通気間隙１０が形成され、この通気間隙１０の前方を覆うように土台水切材１を建物の土台部に外壁の外周に沿って配設されてなる。そして、土台水切材１の取付板部２が土台９に取り付けられている状態で、後垂れ板部５と基礎６との間に通気間隙１０と連通する連通間隙１１が形成されており、土台９、床下の換気がなされている。
【００２５】
基礎６は、コンクリート製のものであり、布基礎６、ベタ基礎６のように建物の外周に沿って連続する前面６ａを有するものである。基礎６の前面６ａは土台水切材１の後垂れ板部５よりも前方に位置するとともに、基礎６の上端部の前側縁に切欠き部７が形成されている。この切欠き部７の断面は台形状に形成されており、コンクリートの上端部の前側縁には前面６ａから後側に所定間隔だけ後退した垂直面６ｂとこの垂直面６ｂの下端より前方斜め下方に傾斜する傾斜面６ｃとが形成されている。切欠き部７の形成は、基礎６の施工時に上記形状を有する目地棒を用いて行っている。
【００２６】
土台９は、１辺が９０ｍｍの断面が正方形の木材の角材であり、土台パッキン８を介して基礎６に固定されている。この土台９の外側には外装下地として厚さが１２ｍｍの構造用合板１２が配置されている。土台水切材１の取付板部２は、この構造用合板１２を挟んで土台９に釘、ビス１３などによって取り付けられている。
【００２７】
土台水切材１の配設位置は、取付板部２の下端が基礎６の上端よりも低い位置になるようにしている。さらに、後垂れ板部５の下端が基礎６の切欠き部７内に位置するようにしている。したがって、基礎６と土台９との間の通気間隙１０と連通する連通間隙１１は、構造用合板１２の厚み分である後垂れ板部５と基礎６の前側縁の垂直面６ｂとの隙間、及び後垂れ板部５と基礎６の前側縁の傾斜面６ｃとの隙間とで形成されている。
【００２８】
図１に示す実施例では、構造用合板１２の外側には防水シート１４が貼られ、この防水シート１４の外側にはラス網１５が設けられ、厚さが１６ｍｍのモルタル塗り１６で外壁が仕上げられている。土台水切材１としては、外壁面から１５ｍｍ突き出るような長さの傾斜部を有するものが用いられている。図２に示す他の実施例では、建物が外断熱仕様となっているため、防水シート１４とラス網１５、モルタル塗り１６との間に厚さが３０ｍｍの断熱材１７を設けている。そのため、土台水切材１全体の水平方向の長さは、図１に示す実施例では３１ｍｍ、図２に示す実施例では６１ｍｍとなっている。
【００２９】
このような土台部構造によれば、床下への通気を妨げることなく、後垂れ板部５が風雨時における通気間隙１０への風の通り抜けを遮って、通気間隙１０への雨水の浸入を抑えることができる。そして、後垂れ板部５によって雨水の浸入が抑えられるため、外壁の下方に外観として現れる前垂れ部４の高さを小さくすることができ、建物の美観を向上させることができる。
【００３０】
また、土台水切材１の取付部の下端を基礎６の上端よりも低くするので、通気間隙１０への風の通り抜けを遮る効果を大きくすることができ、雨水の浸入をより確実に防ぐことができる。また、基礎６の前面６ａを土台水切材１の後垂れ板部５よりも前方に位置させるとともに、基礎６の上端部の前側縁に切欠き部７を形成し、この切欠き部７内に後垂れ板部５の下端を位置させるので、雨水の浸入を防止する効果がさらに向上する。したがって、前垂れ部４の高さをさらに小さくすることが可能である。
【００３１】
なお、以上の実施の形態においては、本発明を木造の建物に適用したが、これに限定されるものではなく、プレハブ、鉄骨造などの建物に適用してもよい。また、外壁の仕上げをモルタル塗りによる湿式工法によって行っているが、外壁材仕上げによる乾式工法によって行ってもよい。また、基礎の切欠き部はその外面にモルタル層を施すことによって形成してもよい。また、土台水切材の大きさ、形状、後垂れ板部の位置など、その他、具体的な細部構造等についても適宜に変更可能であることは勿論である。
【図面の簡単な説明】
【００３２】
【図１】本発明を適用した一実施例の土台水切材及び土台部構造の構成を示す断面図である。
【図２】本発明を適用した他の実施例の土台水切材及び土台部構造の構成を示す断面図である。
【符号の説明】
【００３３】
１、２１  土台水切材
２、２２  取付板部（取付部）
３、２３  傾斜板部（傾斜部）
４、２４  前垂れ部
５、２５  後垂れ板部（後垂れ部）
６  基礎
６ａ  前面
６ｂ  垂直面
６ｃ  傾斜面
７  切欠き部
８  土台パッキン
９  土台
１０  通気間隙
１１  連通間隙
１２  構造用合板
１３  ビス
１４  防水シート
１５  ラス網
１６  モルタル塗り
１７  断熱材
【図１】
2007126920.tif 000003
【図２】
2007126920.tif 000004